(57)【要約】【課題】ユーザーが仕上げ材を選定する過程において、ユーザーの指定した仕上げ材を施した建物の外装あるいは内装の仕上がり感（完成イメージ）を、立体的に、且つ、速やかにユーザーに提示することができる建築用シミュレーションシートを提供すること。【解決手段】  完成建築物の外装や内装の仕上げ感をイメージするために使用される建築用シミュレーションシート１７。シミュレーションシート１７は、透明シート本体層１８とカラーの透視画形成層１９とを備えている。該透視画形成層１９は、仕上げ材施工部位を透明領域１３として残すように仕上げ施工部位を除いて形成する。そして、シミュレーションは、透視画形成層１９が裏面側からの光の影響を受けない状態で、透明シート本体層１８の裏面側に仕上げ材見本２０を重ね合わせて行なう。【選択図】図３
2010211129.tif 000002
【特許請求の範囲】
【請求項１】
完成建築物の外装や内装の仕上げ感をイメージするために使用されるシミュレーションシートであって、
透明シート本体層と、該透明シート本体層の片面に形成されるカラーの透視画形成層とを備え、
該透視画形成層は、仕上げ材施工部位を透明領域として残すように前記仕上げ施工部位を除いて形成され、
前記透視画形成層が裏面側からの光の影響を受けない状態で、透明シート本体層の裏面側に仕上げ材見本を重ね合わせてシミュレーションを行なうシミュレーションシートにおいて、
前記透明領域中の建物の陰影発生部が、半透明処理領域とされていることを特徴とする建築用シミュレーションシート。
【請求項２】
前記透明領域中に建物の境界線（稜線を含む。）が描かれていることを特徴とする請求項１記載の建築用シミュレーションシート。
【請求項３】
前記透視画形成層に対応させて光遮断層を形成、又は、光遮断シートを前記透明シート本体の裏面側に配して、前記透視画形成層が裏面側から光の影響を受けないようにしたことを特徴とする請求項１又は２記載の建築用シミュレーションシート。
【請求項４】
請求項１、２又は３記載の建築用シュミレーションシートが、さらに、裏面側に仕上げ材見本の保持手段を一体的に備え、該保持手段に前記仕上げ材見本が保持されてなる建築用シミュレーションキット。
【発明の詳細な説明】
【技術分野】
【０００１】
本発明は、仕上げ材を施工した完成建築物の外装や内装の仕上げ感をイメージするために使用されるシミュレーションシートに関する。さらに詳しくは、ユーザーの希望する仕上げを施した建物の外装あるいは内装の仕上がり感を、実際に使用される色見本等の仕上げ見本により実感できる建築用シミュレーションシートに関する。
【０００２】
ここでは、外装シミュレーションを例にとり説明する。本発明の建築用シミュレーションシートは、内装シミュレーションにも適用できる。
【０００３】
なお、本明細書において、「ユーザー」とは、建物の設計者、施主、使用者など、シミュレーションを利用する者又は提示される者を指す。
【０００４】
また、本明細書において、「シミュレーション」とは、ユーザーの希望する仕上げを施した建物の外装あるいは内装の仕上げイメージを確認する作業をいう。
【背景技術】
【０００５】
従来、シミュレーションの方法として、建築パース画やコンピューターグラフィック画像（ＣＧ画像）によるイメージ画像があった。そして、イメージ画像を、建物に施工する予定の仕上げ材の色調を再現したものにする方法として、該イメージ画像の仕上げ材を施工する予定の部分を切り抜いたり透明としたりしたものに、仕上げ材を施工した見本を裏側から当ててシミュレーションを行う方法があった。
【０００６】
しかし、これらの方法では、切り抜いたり透明としたりした部分が全て仕上げ見本と同じ色調となり、建物の陰影を再現することができないため、立体感のある完成イメージのシミュレーションが行えなかった。
【０００７】
上記問題点を解決するために、特許文献１，２に記載のカラーシミュレーション用パースを使用することが考えられる。なお、特許文献１の第２図を本願図面の図１として添付する。
【０００８】
特許文献１に記載された発明を、図符号を付して以下に記す。
【０００９】
「（イ）カラー原版の輪郭陰影をモノクロトーンにて透明フィルムシートに複写したシート１。
【００１０】
（ロ）カラー原版中の色を変化させる部分を、隠蔽性を有する白色塗材または隠蔽性を有する白色シートで被覆しカラー複写したシート２。
【００１１】
（ハ）任意の色相を持ち隠蔽性を有する着色塗材または隠蔽性を有する着色シート３。
【００１２】
（ニ）マンセル値Ｎ＝９．０以上で隠蔽性を有する白色塗材またはシート４。
【００１３】
上記（イ）（ロ）（ハ）（ニ）を積層してなるカラーシミュレーション用パース。」
【００１４】
なお、シート１は、壁面部分の輪郭に従いフィルムシートを切り抜いて用いる（第２頁下右欄第３段）。シート２は、住宅の壁面部分のみが透明であるカラーフィルムシートである（第３頁上左欄第１段）。シート３は、色を変えようとする住宅壁面の輪郭に従い切り抜いたものである（同第３段）。
【００１５】
しかし、特許文献１，２の技術では、建物に施工する予定の仕上げ材の候補が複数あった場合には、フィルムシートの背面に着色塗材を積層させる方法では、候補の数だけのカラーシミュレーション用パースが必要となるため、工数が嵩んだ。
【００１６】
また、着色シートは、フィルムシートの透明な部分と同一形状に切り取ったものを使用する必要があるため、やはり工数が嵩んだ。
【００１７】
また、着色シートを透明な部分と同一形状に切り取ってしまうため、該着色シートを他のカラー原版を用いたカラーシミュレーション用パースに転用することができなかった。
【００１８】
さらに、ユーザーが指定した仕上げ材を使用した場合の完成イメージをユーザーに速やかに提示するためには、予め、ユーザーが選択すると予想される仕上げ材用の着色シートを透明な部分と同一形状に切り取って、準備しておく必要があって、更に工数が嵩んだ。
【００１９】
特許文献３には、プラスチックフィルムなど透明なシートに、建物の模様替え完成イメージを、任意の領域を透明化させて印刷したシートを作製して、該シートを一番上にし、該シートの裏面にシートの透明領域外の透過を保護するためにシートを積層し、その下に模様替え予定の塗装サンプル板、又は内装材の現物カット品などの内外装建材の現物カット品を重ね合せ、透明領域を持つシートの透明領域より、塗装サンプル板又は内外装建材を透過させ全体のイメージを得る技術が記載されている。
【００２０】
しかし、特許文献３の技術では、透明領域において、建物の陰影を再現できないため、立体感のある完成イメージを提供することができなかった。
【先行技術文献】
【特許文献】
【００２１】
【特許文献１】特開昭６２−２５８４５７号公報（「特許請求の範囲」等）
【特許文献２】特開昭６２−２５８４７８号公報（「特許請求の範囲」等）
【特許文献３】特開２００６−１２７４３３号公報（「特許請求の範囲」等）
【発明の概要】
【発明が解決しようとする課題】
【００２２】
本発明は、ユーザーが仕上げ材を選定する過程において、ユーザーの指定した仕上げ材を施した建物の外装あるいは内装の仕上がり感（完成イメージ）を、立体的に、且つ、速やかにユーザーに提示することが出来る建築用シミュレーションシートを提供することを目的（課題）とする。
【課題を解決するための手段】
【００２３】
本発明者は、上記目的を達成するために、鋭意努力をした結果、下記構成の建築用シミュレーションシートに想到した。
【００２４】
完成建築物の外装や内装の仕上げ感をイメージするために使用されるシミュレーションシートであって、
透明シート本体層と、該透明シート本体層の片面に形成されるカラーの透視画形成層とを備え、
該透視画形成層は、仕上げ材施工部位を透明領域として残すように仕上げ施工部位を除いて形成され、
透視画形成層が裏側からの光の影響を受けない状態で、透明シート本体層の裏面側に仕上げ材見本を重ね合わせてシミュレーションを行うシミュレーションシートにおいて、
透明領域中の建物の陰影発生部が、半透明処理領域とされていることを特徴とする。
【００２５】
上記構成において、透明領域中に建物の境界線（稜線を含む）が描くことができる。これによって、完成イメージの立体感を増大でき、完成イメージを実際のものにより近くできる。
【００２６】
また、透視画形成層に対応させて光遮断層を形成、又は、光遮断シートを透明シート本体の裏面側に配して、透視画形成層が裏面側から光の影響を受けないようにすることができる。
【００２７】
透明シート本体層とは別体の光遮断シートを用いる方法では、光遮断シートを適宜選定することによって、透視画形成層が形成された透明シート本体層と光遮断シートを重ね合わせて見た場合の透視画の色相、明度、及び彩度を変化させることができる。よって、同じ透視画形成層が形成された透明シートを用いても、光遮断シートの色を変化させることによって、例えば、曇天や朝・夕といった様々なイメージ像をユーザーに提供できる。
【００２８】
上記構成の建築用シミュレーションシートが、さらに、裏面側に仕上げ材見本の保持手段を一体的に備え、該保持手段に仕上げ材見本が保持されてなるキット体としたものであるときは、該建築用シミュレーションシートをユーザーに提示することができる。これにより、建築用シミュレーションシートの取り扱い性、操作性が向上する。
【００２９】
なお、保持手段は、バンド方式でもよいが、通常、収納方式とする。収納方式とは、箱状又は袋状の収納室に仕上げ材見本を収納する方式のことである。仕上げ材施工部位の面積が小さい場合は、仕上げ材見本を小さくでき、コンパクト化乃至仕上げ材見本の収納枚数を増やすことができる。
【発明の効果】
【００３０】
本発明の建築用シミュレーションシートを用いることで、ユーザーに対して、建築シミュレーションによる現実に近い立体的なイメージ像を容易に提示することができる。
【００３１】
本発明の建築用シミュレーションキットを用いることで、建築用シミュレーションシートの取り扱い性、操作性が向上する。また、建築用シミュレーションキットに用いる仕上げ材見本を付け替えることによって、迅速に建築シミュレーションを行うことができる。
【図面の簡単な説明】
【００３２】
【図１】特許文献１第２図の引用図。
【図２】本発明の一態様である本体シート、光遮断シート、及びそれらを重ね合わせた建築用シミュレーションシートの各斜視図。
【図３】図２のIII−III矢視断面図。
【図４】図２の建築用シミュレーションシートを用いた建築シミュレーション態様図。
【図５】収納箱一体形建築用シミュレーションシートの一態様を示す斜視図。
【図６】建築用シミュレーション用キットの斜視図。
【図７】カラー見本帳の一例を示す斜視図。
【発明を実施するための形態】
【００３３】
以下、本発明の望ましい実施形態を、図例に基づいて説明する。
【００３４】
本実施形態の建築用シミュレーションシート１７は、図２，３に示す如く、透明シート本体層１８の片側に透視画形成層１９を有してなる本体シート１１と、光遮断シート１２とからなるものである。
【００３５】
透視画形成層１９が仕上げ材施工部位を除いて形成されることにより、本体シート１１の仕上げ材施工部位が透明領域１３とされている。また、透明領域１３中の建物の陰影発生部は半透明領域１３ａとされている。なお、透視画形成層１９は、透明シート本体層１８の裏面側に形成してもよい。
【００３６】
通常、透視画形成層１９は、カラー原版の画像を透明シート本体層１８に印刷やコピー（複写）することにより形成する。なお、複写する場合は、カラー原版中の仕上げ材施工部位を白色塗料や白色シートでマスキングして複写を行う。
【００３７】
カラー原版としては、ＣＧによるイメージ画像、建築用パース、立面図、断面図等の建築図面に着色を施したもの、絵画等を用いることができる。
【００３８】
また、透視画形成層１９は、透明シート本体層１８に、仕上げ材を施工する予定の部分が透明領域となるように建物の背景を含んだ建物の外観を直接描写して形成してもよい。
【００３９】
透明シート本体層１８の素材とする透明シートとしては、光透過率の大きな合成樹脂製のシートを用いる。例えば、ポリ塩化ビニル製、ポリエステル製、ポリビニルアルコール製、アクリル製、ポリプロピレン製、ポリエチレン製などの合成樹脂製シートから適宜選択できる。ただし、透明シート光透過率が小さ過ぎると、透明領域を通してみた仕上げ材見本が、実際の仕上げ材見本と違ったイメージに見えてしまうことがある。このため、透明シート光透過率は７０％以上（更には８０％以上）であることが好ましい。
【００４０】
また、該透明シート本体層１８の厚みは、０．０５〜１．５ｍｍ（更には０．１〜１．０ｍｍ）とすることが、取り扱いが容易となって望ましい。
【００４１】
透明シートが薄すぎるとシートが損傷し易いものとなり、逆に、透明シートが厚過ぎても嵩張ってコスト高となる。なお、透明シート本体層１８が厚過ぎると、本体シート１１の裏面側に光遮断シート１２や仕上げ材見本２０を配した場合に、光屈折によって建物の外観区画線が二重に見えるおそれがある。
【００４２】
本実施形態においては、本体シート１１における仕上げ材施工部位（施工予定部位）、即ち透明領域１３中の建物の陰影発生部を半透明領域１３ａとする。また、通常、透明領域１３中に建物の境界線（稜線を含む）１３ｂを描く。
【００４３】
透明領域１３中に半透明領域１３ａや境界線１３ｂを設けることで、図４に示すように、仕上げ材見本２０の色と半透明領域１３ａを通して見る仕上げ材見本２０の色とに違いが生じ、半透明領域１３ａ部分が陰影として表現されることによって、完成イメージ２１が立体感のあるものとなる。
【００４４】
半透明領域１３ａは、半透明領域１３ａを通して仕上げ材見本を見たとき、半透明領域１３ａを透かして見た部分が、完成イメージ２１において影となって見えるようなものとする。
【００４５】
半透明領域１３ａは、通常、図２〜３に示す如く、透明シート本体層１８に被塗装部分が半透明になるように塗料を塗装したり、半透明なフィルムを貼り付けたりして形成された半透明層である。また、スクリーントーンのように、隠ぺい性のある微細な点の集合を透明シート本体層１８に直接形成して半透明領域１３ａとしてもよい。
【００４６】
また、半透明領域１３ａの光透過率は、透明領域の半透明処理前の光透過率と５％以上の差があることが、更には１０％以上の差があることが好ましい。両者の光透過率の差が小さ過ぎると、完成イメージ２１において十分な立体感を感得させる陰影を表現し難くなる。
【００４７】
境界線１３ｂは、通常、図２に示す如く、壁面と壁面によって形成される出隅を線として描いたものである。境界線１３ｂを描くことで、完成イメージ２１が引き締まったものとなる。
【００４８】
また、境界線１３ｂは出隅だけでなく、壁面と壁面によって形成される入隅を描いてもよい。また、壁面が凹凸模様を有する場合は、該凹凸模様の出隅、入隅等を境界線１３ｂとして描いてもよい。
【００４９】
そして、シミュレーションに際して、仕上げ材施工部位である透明領域１３以外の領域、即ち透視画形成層１９に透けがあると、仕上げ材見本２０に重ねたときに、透視画形成層１９が仕上げ材見本２０の色の影響を受けてしまう。このため、本体シート１１の裏面側に、透視画形成層１９が裏面側からの光の影響を受けないように、光透過を防ぐ手段を講じる。透明領域１３以外の領域の透過を防ぐ手段は、本実施形態では、光遮断シート１２であるが、本体シート１１の透視画形成層１９対応部位の裏面側に、光を防ぐ塗料を塗って光遮断層を設けてもよい。この場合、建築用シミュレーションシート１７は、一枚構成となる。
【００５０】
仕上げ材見本２０とは、建築用シミュレーションシート１７の透明領域１３を通して見るものである。仕上げ材見本２０は、建物に施工する予定の仕上げ材の見本であって、基材に施工予定の仕上げ材の現物を施工したもの、基材に施工予定の仕上げ材と同色の塗料を塗装したもの、及び、壁紙並びに建材等の現物品等を用いることができる。
【００５１】
以下に、建築用シミュレーションシート１７と仕上げ材見本２０とを用いた建築ミュレーションの具体的な実施例を説明する。
【実施例】
【００５２】
（実施例１）
図２〜３に示す構成の建築用シミュレーションシート１７を以下の手順で作成した。
【００５３】
仕上げ材施工予定の建物の写真画像をカラー原版とした。写真画像データをコンピューターに取り込み、印刷した際に仕上げ材施工予定部位が透明領域１３となるよう処理した。次に、透明シート本体層１８としてのポリエステル製透明シート（Ａ４サイズ）に、画像をカラープリンターで印刷して透視画形成層１９を形成して、透明領域１３を有する本体シート１１を得た。次に、本体シート１１の透視画形成層１９に対応する部位の裏面側には、光遮断シート１２としての白い紙を貼り付けて建築用シミュレーションシート１７とした。なお、光遮断シート１２は、本体シート１１と同じサイズであって、透明領域１３に対応する部位を切り抜いて、切り抜き部１６を形成したものを用いた。
【００５４】
また、写真画像データの処理において、仕上げ材施工予定部位が透明領域１３となるよう処理すると共に、透明領域１３中の陰影を表す半透明領域１３ａには、透けのある灰色が印刷されるように処理を行った。また、壁面と壁面によって形成される出隅が線として描かれるように処理を行った。処理を行った画像をカラープリンターで印刷することで、透明領域１３に、半透明領域１３ａ及び境界線１３ｂを有する本体シート１１を作製した。
【００５５】
基材としての紙（防水加工処理をした紙）に、予めユーザーが選択した仕上げ材としての塗料を塗装した仕上げ材見本２０（Ａ４サイズ）を作製した。
【００５６】
建築用シミュレーションシート１７と仕上げ材見本２０とを用いて、以下の手順で建築シミュレーションを行った。
【００５７】
図４に示す如く、建築用シミュレーションシート１７の裏面側に仕上げ材見本２０を重ねて、完成イメージ２１をユーザーに提示した。
【００５８】
実施例１の建築シミュレーションによれば、ユーザーに対して立体感のある完成イメージ２１を容易に提示することができた。
【００５９】
（実施例２）
実施例１において、仕上げ材見本２０として、予め、ユーザーの好みに基づいて１００色の塗料を選択し、基材としての紙（防水加工処理をした紙）に塗料を塗装したものを各色につき１枚ずつ作製した。
【００６０】
本実施例の建築シミュレーションを下記の手順で行った。
【００６１】
まず、１００色の仕上げ材見本２０をユーザーに提示して、ユーザーに、それらの仕上げ材見本２０の中から、仕上げ材として希望する塗料を塗装した仕上げ材見本２０を選択させた。次に、図４に示す如く、ユーザーが選択した仕上げ材見本２０に建築用シミュレーションシート１７を重ね合わせて、ユーザーが選択した仕上げ材見本２０を使用した場合の完成イメージ２１をユーザーに提示した。
【００６２】
このような建築シミュレーションを行えば、ユーザーに対して複数の仕上げ材見本２０を提示し、それらの中からユーザーが選択した仕上げ材見本２０による完成イメージ２１を、ユーザーに迅速に提示することができる。また、ユーザーが提示された仕上げ材見本から候補として複数の仕上げ材見本２０を選択したとしても、建築用シミュレーションシート１７と仕上げ材見本２０の組み合わせを変えるだけで、それぞれの仕上げ材見本による完成イメージ２１をユーザーに提示できる。よって、複数の仕上げ材見本２０によるそれぞれの完成イメージ２１をユーザーに迅速に提示することができる。このため、ユーザーが、それらの完成イメージ２１を参考に候補色を絞り込んでいくといった作業が容易に行える。
【００６３】
（実施例３）
本実施例は、建築用シミュレーションキットに関するものである。
【００６４】
図２〜３に示す建築用シミュレーションシート１７の裏面側に、合成樹脂製板（例えば、ポリプロピレン製）によって仕上げ材見本の保持手段としての収納箱２８を形成して、収納箱一体形建築用シミュレーションシート２７とし、更に、該収納箱２８によって、実施例２の１００色の仕上げ材見本２０を保持したキット体である。
【００６５】
なお、収納箱２８の上部は、図例では、仕上げ材見本２０を差し込むための差込口２８ａとしたが、蓋体を取り付けてもよい。
【００６６】
本実施例の建築シミュレーションを下記の手順で行った。
【００６７】
まず、１００色の仕上げ材見本２０をユーザーに提示して、ユーザーに、それらの仕上げ材見本２０の中から、仕上げ材として希望する塗料を塗装した仕上げ材見本２０を選択させた。次に、図６に示す如く、ユーザーが選択した仕上げ材見本２０を、収納箱一体形建築用シミュレーションシート２７の収納箱２８に差し込んで、ユーザーが選択した仕上げ材見本２０を使用した場合の完成イメージをユーザーに提示した。
【００６８】
実施例３の建築シミュレーションによれば、実施例１〜２の効果に加え、仕上げ材見本２０を収納箱に収納することで、カラーシミュレーション用シートと仕上げ材見本が固定されるため、取り扱いが容易になり、シミュレーション性が向上した。
【００６９】
（実施例４）
実施例２において、更に、図７に示すように、ユーザーに提示する１００色の仕上げ材見本２０の色を過不足なく表示したカラー見本帳３４を用意した。なお、カラー見本帳３４とは、１色以上の色表示部３６を有するカラーカード３５を束ねたものである。色表示部３６とは、仕上げ材見本２０に用いた塗料の色が標示された部分である。
【００７０】
本実施例の建築シミュレーションを下記の手順で行った。
【００７１】
まず、図７に示すようなカラー見本帳３４をユーザーに提示して、ユーザーに、カラー見本帳３４に表示された色の中から仕上げ材として希望する色を選択した。次に、ユーザーがカラー見本帳３４から選択した色と同色の仕上げ材見本２０を建築用シミュレーションシート１７の裏側に重ね合わせて、ユーザーが選択した色の仕上げ材を使用した場合の完成イメージ２１をユーザーに提示した。
【００７２】
実施例４の建築シミュレーションによれば、実施例２の効果に加え、カラー見本帳３４を用いることで、ユーザーは複数の色を同時に視野にとらえて色を選択することができ、ユーザーは複数の色の中から希望する色を容易に選択することができた。
【００７３】
（対照例１）
実施例１で作製した本体シート１１に、光遮断シート１２を取り付けずに建築シミュレーションに用いた。
【００７４】
仕上げ材見本２０として、実施例２で用いた１００色の仕上げ材見本２０を用いた。
【００７５】
本体シート１１と仕上げ材見本２０とを用いて、以下の手順で建築シミュレーションを行った。
【００７６】
本体シート１１の裏面側に仕上げ材見本２０を重ねて、完成イメージをユーザーに提示した。
【００７７】
対照例１の建築シミュレーションによれば、ユーザーに対して立体感のある完成イメージを容易に提示することができた。しかし、本体シート１１の透視画形成層１９によって示された画像は裏面側から光の影響を受けるものであったため、使用した仕上げ材見本２０の色によって画像の色相、明度、及び彩度が変化してしまった。このため、使用した仕上げ材見本２０毎に、画像のイメージに変化が生じた。
【００７８】
なお、上記各実施例は、次のように変化させても実施することができる。
【００７９】
各実施例においては、Ａ４サイズの建築用シミュレーションシート１７を使用したが、建築用シミュレーションシート１７のサイズは特に限定されるものではない。建築用シミュレーションシート１７のサイズとしては、Ａ５からＢ３程度のサイズが好ましい。サイズがＡ５より小さいと、建築用シミュレーションシート１７に示された画像において、仕上げ材施工予定部位の面積が小さくなり、色の面積効果によって完成イメージ２１に誤認を生じる可能性がある。また、サイズがＢ３程度あれば、十分な完成イメージ２１を確認できる。なお、色の面積効果とは、同じ色でも、着色する面積が狭いときと広いときとでは、視覚的に彩度が違って感じられ、色の見え方が違う現象のことである。
【００８０】
各実施例においては、仕上げ材見本２０は、建築用シミュレーションシート１７と同じサイズのものとしたが、仕上げ材見本２０の大きさは、建築用シミュレーションシート１７に示された画像における仕上げ材施工予定部位を覆うことができる大きさであればよい。また、実施例１及び２では仕上げ材見本２０の基材として防水加工処理をした紙を用いたが、防水加工処理をした紙以外にも、塗料が塗膜を形成できる基材あって、塗料中の分散楳（水や有機溶剤等）や添加剤によって変形しないものであれば、仕上げ材見本２０の基材として用いることができる。
【００８１】
各実施例は、仕上げ材として塗料を用いた場合の実施例であるが、仕上げ材として壁紙、タイル等の建物に貼って用いる建材、石材、カーテンウォール、カーテン等の建物に設置して用いる建材などの塗料以外の建材を用いる場合に置いても本発明の建築用シミュレーションシート１７を用いることができる。その場合、建材の現物を仕上げ材見本２０として用いてもよい。なお、建材の現物は、建築用シミュレーションシート１７に対応する大きさにカットして用いればよい。
【００８２】
実施例２〜４においては、ユーザーに提示する仕上げ材見本２０の仕上げ材は、ユーザーの好みに基づいて、あらかじめ選択したものであったが、ユーザーの好みに基づいて選択した仕上げ材でなくてもよい。例えば、ユーザーに提示する仕上げ材見本２０の仕上げ材の選択をする方法としては、汎用のカラーカードやカラー見本帳に示された色の中から、ユーザーに提示する仕上げ材見本２０の色を選択する方法がある。
【００８３】
商品化されているカラー見本帳としては、菊水化学工業（株）製の商品名「１２００  ｋａｂｅ  ｃｏｌｏｒ」、（財）日本塗料工業会の商品名「ＪＰＭＡ  Ｓｔａｎｄａｒｄ  Ｐａｉｎｔ  Ｃｏｌｏｒｓ」などがある。カラー見本帳等の任意のカラー見本帳に示された色と同色の仕上げ材見本２０をあらかじめ作製しておき、ユーザーがカラー見本帳から選択した色の仕上げ材見本２０を用いて建築シミュレーションを行えばよい。なお、この方法で建築シミュレーションを行なうためには、使用するカラー見本帳に示された全ての色の仕上げ材見本２０を準備することが最も好ましいが、使用するカラー見本帳の中から、本発明者があらかじめ１０〜１５０色程度を選択したものであってもよい。
【００８４】
実施例３においては、建築用シミュレーションシート１７を作製した後に、該建築用シミュレーションシート１７の裏面側に仕上げ材保持手段としての収納箱２８を形成したが、収納箱一体形建築用シミュレーションシート２７が得られれば、作製方法は特に限定されない。例えば、透明な面を持つ収納箱の透明な面に画像を印刷して収納箱一体形建築用シミュレーションシート２７を作製することもできる。また、仕上げ材保持手段は収納箱に限定されず、袋など収納スペースを備えたものであればよい。また、バンドなどの保持手段を有するものであってもよい。
【００８５】
実施例３における建築用シミュレーションシート１７の裏面側に設ける収納箱２８の大きさは、建築用シミュレーションシート１７に示された画像における仕上げ材を施工する予定の部分を覆うことができる大きさであって、建築シミュレーションに用いる仕上げ材見本２０を収納できる大きさであればよい。
【００８６】
また、実施例３の収納箱２８を形成する板材の材質は特に限定されるものではなく、適宜に選択すればよい。例えば、板材として、合成樹脂製以外にも、金属製、木製等の板を用いることができる。また、収納箱に仕上げ材見本を差し込むための差込口は、図５・６においては収納箱一体形建築用シミュレーションシート２７の上部に設けられているが、差込口の位置は特に限定されず、下部や側部に設けてもよい。また、上部と下部といったように２つの差込口を設けることも可能である。
【００８７】
実施例４においては、ユーザーが仕上げ材を選択する手段としてカラー見本帳３４を利用したが、カラー見本帳３４の代わりに、一枚のカードに複数色の仕上げ材見本２０の色を過不足なく表示したカラーカードを用いてもよい。
【００８８】
また、カラー見本帳３４には、各色の表示部に番号もしくは記号を記載しておき、仕上げ材見本２０にもカラー見本帳３４において該仕上げ材見本２０と同色の表示部に記載した番号若しくは記号を記載しておくことが好ましい。それにより、カラー見本帳３４で選択した色の仕上げ材見本２０を探し出す作業が容易になる。
【００８９】
また、実施例４において用いるカラー見本帳３４は、仕上げ材として塗装される塗料の色の選択に限らず、仕上げ材としての建材の色の選択に用いてもよい。また、仕上げ材見本２０として、壁紙、タイル等の建物に貼って用いる建材や、石材、カーテンウォール、カーテン等の建物に設置して用いる建材などの現物を用いる場合は、それらの建材の現物をカットして貼り付けたものをカラー見本帳としてもよい。
【００９０】
実施例１において、光遮断シート１２として、白い紙を用いたが、光遮断シート１２、光遮断シート１２の色を適宜選定することによって、透視画形成層１９が形成された透明シート本体層１１と光遮断シート１２を重ね合わせて見た場合の透視画の色相、明度、及び彩度を変化させる事ができる。また、光遮断シート１２の代わりに、光の透過を防ぐことができる塗料を透明シート本体層１８の裏面に塗装して、透視画形成層１９が裏面側から光の影響を受けないようにすることもできる。
【符号の説明】
【００９１】
１１  本体シート
１２  光遮断シート
１３  透明領域
１３ａ  半透明領域
１３ｂ  境界線
１６  切り抜き部分
１７  建築用シミュレーションシート
１８  透明シート本体層
１９  透視画形成層
２０  仕上げ材見本
【図１】
2010211129.tif 000003
【図２】
2010211129.tif 000004
【図３】
2010211129.tif 000005
【図４】
2010211129.tif 000006
【図５】
2010211129.tif 000007
【図６】
2010211129.tif 000008
【図７】
2010211129.tif 000009